(57)【要約】【課題】  内部回路の冷却用ファンの送風を利用して空気中のバクテリアやウイルスを減少させるような空気清浄機能を、付加機能として組み込んだＡＶ機器を提供する。【解決手段】  装置筐体の底面に設けられた吸気口３１から排気口３２へ空気を導く金属製のエアダクト１８を含んだＵ字型のエア誘導路Ｆ，Ｆと、エアダクト１８内に設けられ空気を流すファン４１と、このファン４１と同軸上に設けられ光を反射するように形成された円錐体４３と、この円錐体４３を囲むようにエアダクト１８の内周に沿って複数設けられた紫外光ＬＥＤ４２，４２…とを備え、エア誘導路Ｆ，Ｆに流れる空気により内部回路１１，１４が冷却されるとともに、エアダクト１８の金属部分に熱伝導体を介してＬＳＩやＩＣが接合されてこれらが冷却されるように構成する。【選択図】        図１
2005166180.tif 000002
【特許請求の範囲】
【請求項１】
映像又は音響に関わる信号の処理を行うオーディオ・ビジュアル装置において、
装置筐体の何れかの面で一方の側に設けられた吸気口から他方の側に設けられた排気口へＵ字型の経路で空気を導くとともに少なくとも一部が筒状で金属製のエアダクトを含むエア誘導路と、
上記エアダクト内に設けられ該エアダクトに沿って空気を流すファンと、
このファンの直前或いは直後のファン回転軸上に配置され光を反射するとともにファンから遠ざかるほど径が小さくなる円錐形状に形成された反射体と、
この反射体を囲むように上記エアダクトの内周に沿って複数設けられた紫外ＬＥＤ又は近紫外ＬＥＤとを備え、
上記エアダクトの金属部分に熱伝導体を介して内部回路が接合されて該内部回路が冷却されるように構成されていることを特徴とするオーディオ・ビジュアル装置。
【請求項２】
映像又は音響に関わる信号の処理を行うオーディオ・ビジュアル装置において、
装置筐体に設けられた吸気口および排気口と、
上記吸気口から上記排気口へ空気を導くエア誘導路と、
このエア誘導路上に設けられ該エア誘導路に沿って空気を流す送風手段と、
上記エア誘導路内に紫外域又は近紫外域の光を照射する紫外光照射手段とを備え、
上記エア誘導路を流れる空気によって内部回路が冷却されるとともに、この空気に上記紫外光照射手段の光が照射されるように構成されていることを特徴とするオーディオ・ビジュアル装置。
【請求項３】
上記紫外光照射手段は紫外ＬＥＤ又は近紫外ＬＥＤからなることを特徴とする請求項２記載のオーディオ・ビジュアル装置。
【請求項４】
上記エア誘導路の少なくとも一部に筒状のエアダクトが含まれるとともに、
上記送風手段はファンであり、このファンの直前或いは直後のファン回転軸上に光を反射するとともにファンから遠ざかるほど径が小さくなる円錐形状に形成された反射体が設けられ、
上記ＬＥＤが上記エアダクトの内周に沿って上記反射体を囲むように複数配置されていることを特徴とする請求項３記載のオーディオ・ビジュアル装置。
【請求項５】
上記エア誘導路の少なくとも一部に金属製のエアダクトが含まれ、
このエアダクトに熱伝導体を介して内部回路が接合されて該内部回路が冷却されるように構成されていることを特徴とする請求項２〜４に記載のオーディオ・ビジュアル装置。
【請求項６】
上記エア誘導路内には上記紫外光照射手段が照射した光を反射させる金属製の反射体が設けられ、この反射体の一部に熱伝導体を介して内部回路が接合されて該内部回路が冷却されるように構成されていることを特徴とする請求項２〜５の何れかに記載のオーディオ・ビジュアル装置。
【発明の詳細な説明】
【技術分野】
【０００１】
この発明は、空気清浄機能が付加されたＡＶ（オーディオ・ビジュアル）機器に関し、特に内部のＬＳＩやＩＣ等の冷却を必要とするＤＶＤ録画再生装置やハードディスク録画再生装置に利用して有用な技術に関する。
【背景技術】
【０００２】
近年、記録用ＤＶＤ（デジタル他用途ディスク）やハードディスク等を記録媒体として、テレビ放送を録画したりそれを再生したりするＤＶＤ録画再生装置やハードディスク録画再生装置などが流通している。このようなＡＶ機器では、例えば映像データのエンコード処理やデコード処理など大量のデータ処理を高速に行うＬＳＩ（大規模集積回路）などを有し、内部回路の発熱量が高くなる傾向にある。
【０００３】
また、内部回路を冷却する方法としては、ファンにより装置内部に空気を流して放熱する方法が一般的に知られている（例えば特許文献１）。
【０００４】
また、特許文献２、特許文献３には、空気清浄機能が付加されたＡＶ機器の提案がなされている。
【特許文献１】特開平５−４７１６７号公報
【特許文献２】特開平１０−３１４５２４号公報
【特許文献３】特開平１１−３１６５５０号公報
【発明の開示】
【発明が解決しようとする課題】
【０００５】
本発明者は、ＡＶ機器に放熱用のファンを設けるのであれば、このファンの送風を利用して部屋に漂うバクテリアやウイルスなどを減少させるような空気清浄機能が付加できないか検討した。
【０００６】
そして、従来の空気清浄機能を付加したＡＶ機器として、特許文献１に開示の空気清浄機能付き情報機器を検討したところ、次のような問題が見出された。すなわち、この情報機器に備わる空気清浄ユニットは、触媒を例えば２００℃〜３００℃の高温にして空気清浄に使用する構成であるが、このような触媒やヒータを情報機器の内部回路と併設するのは難しいため、空気清浄を行うユニットと情報機器の内部装置とを離して設ける必要があり、装置全体の体積を増大させる。また、触媒を過熱するヒータの消費電力は情報機器としての消費電力に比べて非常に高く、その結果、装置全体の消費電力を大幅に上げてしまうという問題があった。
【０００７】
従って、特許文献１の技術を用いてＡＶ機器に空気清浄機能を付加したのでは、空気清浄機能があるのと無いのとで、装置外形や装置体積に大きな変化が生じてしまい、且つ、消費電力にも大きな差が生じてしまうので、付加機能として設けるには適さないという結論に至った。
【０００８】
また、従来の空気清浄機能を付加したＡＶ機器として、特許文献２に開示の空気清浄機能付き表示装置を検討したところ、この空気清浄機能は、電子管で塵埃を帯電させてそれを捕集するというものであるため、ブラウン管を有する表示装置でないと適用できないという結論に至った。
【０００９】
この発明の目的は、内部回路の冷却用ファンの送風を利用して空気中のバクテリアやウイルスを減少させるような空気清浄機能を、付加機能として組み込んだＡＶ機器を提供することにある。
【課題を解決するための手段】
【００１０】
本発明は、上記目的を達成するため、映像又は音響に関わる信号の処理を行うオーディオ・ビジュアル装置において、装置筐体に設けられた吸気口および排気口と、上記吸気口から上記排気口へ空気を導くエア誘導路と、このエア誘導路上に設けられ該エア誘導路に沿って空気を流す送風手段と、上記エア誘導路内に紫外域又は近紫外域の光を照射する紫外光照射手段とを備え、上記エア誘導路を流れる空気によって内部回路が冷却されるとともに、この空気に上記紫外光照射手段の光が照射されるような構成とした。
【００１１】
このような手段によれば、内部回路等を冷却する送風手段の送風を利用して室内の空気を取り込み循環させつつこの空気に紫外線を照射して殺菌を行う。それにより、室内の空気中のバクテリアやウイルスを減少させるような空気清浄を行うことが出来る。
【００１２】
また、上記構成によれば、紫外線の照射により空気清浄を行うので、その紫外線照射に必要な構成を小型に且つ低消費電力に構成することが出来る。従って、この空気清浄機能を付加しない場合と比べて、装置外形や装置体積ならびに消費電力に大きな変化を及ぼすことなく、空気清浄機能を付加機能として組み込むことが出来る。
【００１３】
具体的には、上記紫外光照射手段は紫外ＬＥＤ又は近紫外ＬＥＤから構成すると良い。これにより、空気清浄に必要な構成をより小型化することができ、さらにその消費電力をより低くすることが出来る。
【００１４】
望ましくは、上記エア誘導路の少なくとも一部に筒状のエアダクトが含まれるとともに、上記送風手段はファンであり、このファンの直前或いは直後のファン回転軸上に光を反射するとともにファンから遠ざかるほど径が小さくなる円錐形状に形成された反射体が設けられ、上記ＬＥＤが上記エアダクトの内周に沿って上記反射体を囲むように複数配置されるように構成すると良い。
【００１５】
このような手段によれば、上記反射体により、ファンの回転軸部分に生じる空気の渦流を抑えて送風を滑らかに行うことが出来ることに加え、反射体が紫外線を反射することで送風される空気への紫外線照射を効率的に行い、空気清浄機能を強化することができる。
【００１６】
また望ましくは、上記エア誘導路の少なくとも一部に金属製のエアダクトが含まれ、このエアダクトに熱伝導体（放熱板や放熱フィンなど）を介して内部回路が接合されて該内部回路が冷却されるように構成すると良い。
【００１７】
このような構成によれば、金属のエアダクトは内部に空気を流すだけで冷却されるので、その部分に内部回路の放熱体を接触させることで、内部回路の放熱効果を高めることが出来る。
【００１８】
また望ましくは、上記エア誘導路内には上記紫外光照射手段が照射した光を反射させる金属製の反射体が設けられ、この反射体の一部に熱伝導体を介して内部回路が接合されて該内部回路が冷却されるように構成すると良い。
【００１９】
このような構成によれば、反射体に紫外線を反射させて送風される空気へ紫外線を効率的に照射することが出来るとともに、送風によりこの反射板が冷却されるので、この部分に内部回路の放熱体を接触させることで内部回路の放熱効果を高めることが出来る。
【発明の効果】
【００２０】
以上説明したように、本発明に従うと、ＡＶ機器において、空気清浄機能を付加しない場合と比較して装置外形や装置体積ならびに消費電力に大きな変化を及ぼすことなく、内部回路を冷却する冷却ファンの送風を利用して空気中のバクテリアやウイルスを減少させるような室内の空気清浄を行うことが出来るという効果がある。
【発明を実施するための最良の形態】
【００２１】
以下、本発明の実施の形態を図面に基づいて説明する。
〔第１の実施の形態〕
図１には、本発明を適用して有用なＤＶＤビデオレコーダの実施の形態を示す内部透視の斜視図を、図２にはこのＤＶＤビデオレコーダの側面図を示す。
【００２２】
この実施の形態のＤＶＤビデオレコーダ１は、テレビジョン放送の電波を入力してテレビジョン信号を復調するチューナモジュール１１や、記録型のＤＶＤ（デジタル多用途ディスク）をトレイに収容してデータの記録再生を行うディスクドライブモジュール１２や、映像信号をＭＰＥＧ２（Motion Picture Experts Group 2）の形式のデータにエンコードしたりＭＰＥＧ２の形式の映像データを元の表示信号にデコードしたりする図示略の信号処理用ＬＳＩや、装置の全体的な制御を行う図示略のコントロールＬＳＩなどを備え、復調したテレビジョン信号をテレビ受像機に出力して映像表示を行わせたり、テレビジョン信号をＭＰＥＧ２の形式にエンコードしてＤＶＤに記録したり、ＤＶＤから読み出した映像データをデコードしてテレビ受像機に出力したりするものである。
【００２３】
このＤＶＤビデオレコーダ１は、外形が丈の低い直方体形状をしており、その底面部には、底面と床の間に隙間が生じるように四角に足２１，２１…がそれぞれ設けられるとともに、底面の左前方には空気の吸気口３１が、底面の右前方には空気の排気口３２が形成されている。
【００２４】
このＤＶＤビデオレコーダ１においては、ディスクドライブモジュール１２はケース１０内の中央の部分に配置される一方、その両脇には装置を冷却する空気を通すエア誘導路Ｆが確保されている。左側のエア誘導路Ｆはエア誘導路Ｆの側面と上面を板状の側壁３３や上面壁３４ならびにケース１０とで囲むことで吸気口３１から進入した空気を背面側に導くようになっている。右側のエア誘導路Ｆも同様に板状の側壁３６と上面壁３７で囲むことで背面側から排気口３２へ空気を導くように構成されている。これら左右のエア誘導路Ｆにはチューナモジュール１１や各種回路を搭載した回路基板１４などが配置され、空気の流れにより冷却されるようになっている。
【００２５】
さらに、ケース１０内の背面側には円筒状のエアダクト１８が左右のエア誘導路Ｆ，Ｆをつなぐように設けられ、これら全体で吸気口３１から排気口３２へと空気を導くＵ字型のエア誘導路を構成している。
【００２６】
図３は、エアダクト１８内の構成を示す透視斜視図である。
【００２７】
エアダクト１８の中には、空気をダクト１８の経路に沿って流すファン４１と、紫外線を照射する複数の紫外ＬＥＤ４２とが設けられている。また、ファン４１の一方の側には、紫外線を表面反射する例えば金属製で円錐形状の反射体４３が設けられている。
【００２８】
ファン４１は、その回転中心の部位にモータ４１ａが配置され、その周囲に回転される羽４１ｂが設けられたもので、中心のモータ４１ａの部分は所定の径を有して空気が流れない部分となっている。上記の反射体４３は、円錐底面の径がこのモータ４１ａの径とほぼ同じ長さに形成され、その円錐底面の部分がモータ４１ａ部分の面と重さなるようにファン４１の送風側に配置されている。すなわち、反射体４３の中心軸とファン４１の回転軸とが同軸上に配置されている。このように、反射体４３を配置することで、ファン４１の羽４１ｂにより前方に押し出された空気が滑らかに進んで送風効率が向上するようになっている。
【００２９】
紫外ＬＥＤ４２，４２…は、エアダクト１８の壁面に沿って上記反射体４３の中ほどの箇所を囲うように設けられている。
【００３０】
また、この実施の形態において、エアダクト１８は、紫外ＬＥＤ４２，４２…や反射体４３が配置されている範囲において例えばアルミなどの金属により形成されており、それにより紫外ＬＥＤ４２，４２…から照射された紫外線が反射体４３とダクト１８の壁面とを何度も反射して、ここを通過する空気への紫外線照射効率が向上するようになっている。
【００３１】
図４は、ダクトによるＬＳＩの冷却構造を示す図である。
【００３２】
この実施の形態のＤＶＤビデオレコーダ１においては、内部回路のうち発熱量の大きな信号処理用ＬＳＩ１３などはエアダクト１８の金属部分の近くに配置される。そして、ＬＳＩ１３に接合された放熱フィン１３Ａとエアダクト１８の金属部分に接合された放熱プレート１９とが互いに接合されてＬＳＩ１３の熱が放熱フィン１３Ａと放熱プレート１９とを介してエアダクト１８に伝導されてエアにより冷却されるようになっている。
【００３３】
以上のように、この実施の形態のＤＶＤビデオレコーダ１によれば、ファン４１による送風により内部回路等を冷却するとともに、この送風を利用して室内の空気を循環させつつこの空気に紫外線を照射して殺菌を行い、空気中のバクテリアやウイルスを減少させるような空気清浄を行うことが出来る。
【００３４】
また、この空気清浄機能を及ぼすのに必要な空間はエア経路中の僅かな範囲でしかなく、また、紫外線を照射するのに紫外ＬＥＤ４２…を用いているので、空気清浄機能を及ぼす構成について低発熱および低消費電力を実現できる。従って、空気清浄機能以外の機能は同等である他の装置と比較して、装置外形、装置体積ならびに消費電力に大きな変化を及ぼすことがない。
〔第２の実施の形態〕
図５には、第２の実施の形態のＤＶＤビデオレコーダにおけるダクト内の詳細な構成の透視斜視図を、図６には、このダクト内の反射板を介したＬＳＩの冷却構造を説明する図を示す。
【００３５】
この第２の実施の形態のＤＶＤビデオレコーダは、第１の実施の形態と比較してそのエアダクト１８Ｂとその内部の構成を異ならせたものである。
【００３６】
この実施の形態のＤＶＤビデオレコーダにおいては、エアダクト１８Ｂは全区間においてプラスチック製のものを用いている。エアダクト１８Ｂ内には第１の実施の形態と同様にファン４１が設けられるほか、このファン４１の送風側に金属製で平面状の反射板４５と、ダクト１８Ｂの中心軸を挟んで反射板４５と対向配置される複数の紫外ＬＥＤ４６，４６…とが設けられている。紫外ＬＥＤ４６…から照射された紫外線が反射板４５で反射されることでその間を流れる空気に対して紫外線の照射効率が向上するようになっている。
【００３７】
また、図６に示すように、反射板４５はエアダクト１８Ｂに設けられたスリットを介してエアダクト１８Ｂの外側に延出されるとともに、発熱量の大きなＬＳＩ１３なとがこの反射板４５の設置箇所の近くに設置され、ＬＳＩ１３に接合された放熱フィン１３Ａと反射板４５の延出部分４５ａとが接合されてＬＳＩ１３の熱が放熱フィン１３Ａと反射板４５とを介してエアダクト１８Ｂ内に伝導され、反射板４５を介してエアにより冷却されるようになっている。
【００３８】
以上のように、この実施の形態のＤＶＤビデオレコーダによれば、第１の実施の形態とほぼ同様の効果が奏されるとともに、第１の実施の形態のものと比較して、空気への紫外線の照射効率はやや低下するものの、エアダクト１８Ｂやその内部構成の製造コストの低減を図ることができる。
【００３９】
なお、本発明は、上記実施の形態に限られるものではなく、様々な変更が可能である。例えば、実施の形態においてエア誘導路は、ガイド壁によるものと筒状のエアダクトとを組み合わせたものとしているが、全区間においてエアダクトにより構成しても良い。また、紫外線を照射する手段として紫外ＬＥＤを例示したが、近紫外域の光を発する近紫外ＬＥＤ、紫外光ランプや紫外光蛍光管などを用いることも出来る。
【００４０】
また、空気の吸気口と排気口の位置も、本体ケース底面の左前と右前の部分に限られず、例えば本体ケースの側面や背面などに設けることも出来る。但し、本発明に係るＡＶ機器が左右の側面と背面とを塞ぐビデオラックなどに収納されるような場合には、ケース底面の左右前側に設けておくことで、室内の空気の循環効率を高くすることができる。
【００４１】
また、紫外ＬＥＤの取り付け箇所は、ファンよりも吸気口側としたり、ファンから大きく離れた箇所とするなど、様々に変更可能である。
【産業上の利用可能性】
【００４２】
この発明は、ＤＶＤ録画再生装置、ハードディスク録画再生装置およびデジタルビデオチューナなどのビジュアル装置や、オーディオディスクプレーヤやオーディオ信号の増幅を行うアンプ装置などのオーディオ装置などに利用することが出来る。
【図面の簡単な説明】
【００４３】
【図１】本発明を適用して有用なＤＶＤビデオレコーダの実施の形態を示すケース内部を透視した斜視図である。
【図２】図１のＤＶＤビデオレコーダの側面図である。
【図３】図１のダクト内のファンと紫外ＬＥＤの周辺を詳細に示す透視斜視図である。
【図４】ダクトによるＬＳＩの冷却構造を示す図である。
【図５】第２の実施の形態におけるダクト内のファンと紫外ＬＥＤの周辺を詳細に示す透視斜視図である。
【図６】第２の実施の形態におけるダクト内の反射板を介したＬＳＩの冷却構造を示す図である。
【符号の説明】
【００４４】
１      ＤＶＤビデオレコーダ
１２    ディスクドライブモジュール
１３    ＬＳＩ
１３Ａ  放熱フィン（熱伝導体）
１８    エアダクト
１９    放熱プレート（熱伝導体）
３１    吸気口
３２    排気口
４１    ファン（送風手段）
４２    紫外ＬＥＤ
４３    反射体
Ｆ      エア誘導路
【図１】
2005166180.tif 000003
【図２】
2005166180.tif 000004
【図３】
2005166180.tif 000005
【図４】
2005166180.tif 000006
【図５】
2005166180.tif 000007
【図６】
2005166180.tif 000008